(57)【要約】【課題】ＧＰＳから位置データを取得し、日記やブログ等のフォーマット作成を行うことができる携帯端末装置を提供することである。【解決手段】ＧＰＳより位置データを取得し、一定範囲内の位置に設定時間以上いた場合を目的地にいると判断し、目的地にいる滞在時間から目的地滞在データと日記やブログ等のフォーマットを作成する機能を有する。【選択図】図２
2009200698.tif 000002
【特許請求の範囲】
【請求項１】
自身の現在位置に関する位置情報を取得する位置情報取得手段と、現在時刻を取得する現在時刻取得手段と、前記位置情報取得手段によって位置情報を取得した時刻を前記現在時刻取得手段によって取得し、該位置情報と該時刻とを対応付ける制御手段とを有することを特徴とする携帯端末装置。
【請求項２】
前記制御手段による位置情報と時刻の対応付けを記憶する記憶手段をさらに有することを特徴とする請求項１に記載の携帯端末装置。
【請求項３】
前記位置情報取得手段がＧＰＳを用いて現在位置に関する位置情報を取得することを特徴とする請求項１に記載の携帯端末装置。
【請求項４】
前記制御手段が、前記位置情報取得手段によって取得した現在位置が所定時間以上、所定範囲外に出ない場合に、目的地にいると判断することを特徴とする請求項１に記載の携帯端末装置。
【請求項５】
前記制御手段が、前記目的地にいると判断した場合の該位置情報と該時刻情報とに基づいて、日記／ブログフォーマットを作成することを特徴とする請求項４に記載の携帯端末装置。
【請求項６】
前記携帯端末装置が携帯電話機であることを特徴とする請求項１ないし５のうちのいずれか１項に記載の携帯端末装置。
【発明の詳細な説明】
【技術分野】
【０００１】
本発明は携帯端末装置に関し、特に、ＧＰＳ機能を有する携帯電話機等の携帯端末装置に関する。
【背景技術】
【０００２】
従来、携帯電話機等の携帯端末装置の普及は目覚ましく、さまざまな機能を備えたものが提供され始めている。
【０００３】
たとえば特許文献１に記載の発明では、ＧＰＳ機能を備えて携帯端末装置自身の位置を取得できると共に、位置情報サーバーから提供される位置情報に基づいて携帯端末装置自身の位置情報を記憶しておく機能を有する。
【０００４】
【特許文献１】特開２００５−１７５６５６号公報
【発明の開示】
【発明が解決しようとする課題】
【０００５】
ところで最近では、ブログ等の普及に伴い、日記やブログ等を作成、掲載する人が増えてきている。しかしながら、日記やブログ等は、その当日中に作成できないこともあるが、後日に作成しようとすると、その日の行動を思い出すのに時間がかかるという問題があった。
【０００６】
特許文献１に記載の発明では、携帯端末装置において、位置情報サーバーからで位置データを取得して保存し行動リストを作成する機能を提供するが、日記やブログ等の作成に利用するためには、目的地にいる滞在データを抽出し、日記やブログに記載する手間がかかるという問題があった。
【０００７】
本発明は上記の点にかんがみてなされたもので、ＧＰＳから位置データを取得し、日記やブログ等のフォーマット作成を行うことができる携帯端末装置を提供することを目的とする。
【課題を解決するための手段】
【０００８】
本発明は、ＧＰＳより位置データを取得し、一定範囲内の位置に設定時間以上いた場合を目的地にいると判断し、目的地にいる滞在時間から目的地滞在データと日記やブログ等のフォーマットを作成する機能を有する。
【０００９】
本発明は、自身の現在位置に関する位置情報を取得する位置情報取得手段と、現在時刻を取得する現在時刻取得手段と、前記位置情報取得手段によって位置情報を取得した時刻を前記現在時刻取得手段によって取得し、該位置情報と該時刻とを対応付ける制御手段とを有することを特徴とする。
【００１０】
また本発明は、前記制御手段による位置情報と時刻の対応付けを記憶する記憶手段をさらに有することを特徴とする。
【００１１】
また本発明は、前記位置情報取得手段がＧＰＳを用いて現在位置に関する位置情報を取得することを特徴とする。
【００１２】
また本発明は、前記制御手段が、前記位置情報取得手段によって取得した現在位置が所定時間以上、所定範囲外に出ない場合に、目的地にいると判断することを特徴とする。
【００１３】
また本発明は、前記制御手段が、前記目的地にいると判断した場合の該位置情報と該時刻情報とに基づいて、日記／ブログフォーマットを作成することを特徴とする。
【００１４】
また本発明は、前記携帯端末装置が携帯電話機であることを特徴とする。
【発明の効果】
【００１５】
本発明によれば、ＧＰＳから位置データを取得し、日記やブログ等のフォーマット作成を行うことができる携帯端末装置を提供することができる。
【００１６】
すなわち、本発明の第１の効果は、目的地とそこにいた時間からなる目的地滞在データがＧＰＳ位置データにより安易に作成できることにある。
【００１７】
その理由は、ＧＰＳ位置データにより、一定範囲内の位置に設定時間以上いた場合を目的地にいるとみなし、自動的に目的地滞在データが作成されるためである。
【００１８】
第２の効果は、日記やブログ等のフォーマット作成がＧＰＳ位置データにより安易にできることにある。
【００１９】
その理由は、第１の効果で作成した目的地滞在データにより自動的に指定した日記やブログ等のフォーマットが作成されるためである。
【発明を実施するための最良の形態】
【００２０】
以下、本発明の実施の形態について図面を参照して詳細に説明する。
【００２１】
図１は、本発明による携帯端末装置の一実施の形態の構成を示すブロック図である。本実施の形態では、携帯端末装置１００が携帯電話機である場合について説明する。
【００２２】
図１に示すように、本実施の形態の携帯端末装置１００は、携帯電話機としての通話やデータ通信を実現する通信手段１０１と、ＧＰＳ（Global Positioning System）機能を実現するＧＰＳ手段１０２と、ディスプレイやスピーカ、マイク、キーボタンといったユーザーに対する入出力を行う入出力手段１０３と、携帯端末装置１００全体の制御を行う制御手段１０４と、各種データの記憶を行う記憶手段１０５とを有して構成される。
【００２３】
制御手段１０４は、携帯端末装置１００全体を制御し、ＧＰＳ位置データ取得機能、行動データファイル追加保存機能、設定時間待ちタイマー機能、指定終了時間判断機能、目的地滞在データ作成機能、日記／ブログ等フォーマット作成機能等を実現する。
【００２４】
ＧＰＳ位置データ取得機能は、ＧＰＳより位置データを取得する。行動データファイル追加保存機能は、入力された位置データに時間データを付加し行動データファイルの末尾に追加保存する。設定時間待ちタイマー機能は、設定された時間以上いれば目的地に滞在しているとみなす時間値を設定されている。指定終了時間判断機能は、日記やブログ等のフォーマットを必要とする時間を指定し終了を判断する。目的地滞在データ作成機能は、確定した行動データファイルの一定範囲内位置データの連続を目的地にいるとみなし目的地滞在データ作成する。日記／ブログフォーマット作成機能は、目的地滞在データから日記やブログ等のフォーマットを作成する。
【００２５】
次に、図２を参照して本実施の形態の動作について詳細に説明する。
【００２６】
図２は、図１に示した携帯端末装置１００の動作を示すフローチャートである。
【００２７】
携帯端末装置１００は、まず、ＧＰＳ位置データ取得機能を用いて、ＧＰＳ手段１０２を動作させ、ＧＰＳから携帯端末装置１００の現在位置の位置データを取得する（Ａ−１）。
【００２８】
続いて、行動データファイル追加保存機能を用いて、ステップ（Ａ−１）で取得した位置データに、現在の時刻を示す時間データを付加し、その日の行動履歴を保存する行動データファイルの最終行に追加保存する（Ａ−２）。たとえば自身の現在位置に関する位置情報を取得し、現在時刻を取得し、取得した位置情報と該位置情報を取得した時刻とを対応付けてたとえば記憶手段１０５に記憶する。
【００２９】
次に、設定時間待ちタイマー機能を用いて、設定された時間以上いれば目的地に滞在しているとみなす時間、たとえば１０分を（たとえば記憶手段１０５内に）あらかじめ設定しておき、この設定された時間を計時し経過すれば次の処理に進む（Ａ−３）。
【００３０】
次に、指定終了時間判断機能を用いて、日記やブログ等のフォーマットが必要な時間、たとえば夜１０時を指定し終了を判断する（Ａ−４）。
【００３１】
次に、目的地滞在データ作成機能を用いて、確定した行動データファイルから位置データを取得し、一つ前の位置データとの位置差分が一定範囲内、たとえば設定時間の半分で歩いて到達出来る範囲内であれば目的地にいるとみなし、目的地とそこにいた時間データより目的地滞在データを作成する（Ａ−５）。
【００３２】
次に、日記／ブログ等フォーマット作成機能を用いて、目的地滞在データから指定したフォーマット、たとえば普段記述している日記やブログ等のフォーマットに合わせてフォーマットを作成する（Ａ−６）。この作成したファーマットはたとえば記憶手段１０５に記憶する。
【００３３】
ユーザーは、たとえば後日に、日記やブログ等を記述するとき、ステップ（Ａ−６）で作成されたフォーマットを読み出して、その場所での出来事等を記述して日記やブログ等を仕上げる。
【００３４】
本実施の形態による第１の効果は、目的地とそこにいた時間からなる目的地滞在データがＧＰＳ位置データにより安易に作成できることにある。
【００３５】
その理由は、ＧＰＳ位置データにより、一定範囲内の位置に設定時間以上いた場合を目的地にいるとみなし、自動的に目的地滞在データが作成されるためである。
【００３６】
第２の効果は、日記やブログ等のフォーマット作成がＧＰＳ位置データにより安易にできることにある。
【００３７】
その理由は、第１の効果で作成した目的地滞在データにより自動的に指定した日記やブログ等のフォーマットが作成されるためである。
【００３８】
なお、上述の実施の形態では、ステップ（Ａ−６）で作成したフォーマットを携帯端末装置１００自身の記憶手段１０５に記憶したが、本発明はこれに限られるものではなく、行動データと目的地滞在データと日記やブログ等のフォーマットを、たとえば外部サーバーに保存し、他の端末装置等からも利用できるようにしてもかまわない。
【図面の簡単な説明】
【００３９】
【図１】本発明による携帯端末装置の一実施の形態の構成を示すブロック図である。
【図２】図１に示した携帯端末装置１００の動作を示すフローチャートである。
【符号の説明】
【００４０】
１００  携帯端末装置
１０１  通信手段
１０２  ＧＰＳ手段
１０３  入出力手段
１０４  制御手段
１０５  記憶手段
【図１】
2009200698.tif 000003
【図２】
2009200698.tif 000004